(57)【要約】【課題】  利用者の共同での利用を円滑化し、かつ短時間にチャンネルを設定する。【解決手段】  本体機器１００は、情報を受付ける赤外線受光部１２０と、チューナ１６０と、赤外線受光部１２０が受付けた情報に基づき、チャンネルを対応付けるグループ、および同一のグループに対応するチャンネル間の順序を特定し、選択チャンネルで情報を受信するようにチューナ１６０を制御し、メモリ１５０のバッファが記憶するチャンネルとは異なるチャンネルごとに、受信の感度が予め定められた基準から外れるか否かを判断し、自らの判断に合致するように、メモリ１５０のバッファが記憶するチャンネルを変更する制御部１１０と、制御部１１０が特定したチャンネルを、順序を表わす情報とともに、グループに対応付けて記憶するメモリ１５０の本設定用の領域と、チューナ１６０による受信の感度が基準から外れるチャンネルを記憶するメモリ１５０のバッファとを含む。【選択図】        図１
2005229412.tif 000002
【特許請求の範囲】
【請求項１】
情報を受付けるための受付手段と、
前記受付手段が受付けた情報に基づき、複数のチャンネルのいずれかについて、チャンネルを対応付ける、利用者個人を表すグループ、および同一の前記グループに対応するチャンネル間の前後の順序を特定するための特定手段と、
前記特定手段が特定したチャンネルを、前記チャンネル間の前後の順序を表す情報とともに、前記グループに対応付けて記憶するための第１の記憶手段と、
情報を受信するための受信手段と、
前記受付手段が受付けた、前記グループに含まれるチャンネルを選択する旨の情報が表す選択チャンネルで情報を受信するように、前記受信手段を制御するための第１の制御手段と、
前記受信手段が受信した情報が表わす、映像を表示するための表示手段と、
前記受信手段が受信した情報が表わす、音声を出力するスピーカとを含むテレビにおいて、
前記テレビは、
前記受信手段による情報の受信の感度が予め定められた基準から外れるチャンネルを記憶するための第２の記憶手段と、
前記第１の記憶手段が記憶するチャンネルのうち、前記第２の記憶手段が記憶するチャンネルとは異なるチャンネルごとに、情報を受信するように前記受信手段を制御するための第２の制御手段と、
前記受信手段が受信した情報に基づき、前記第２の記憶手段が記憶するチャンネルとは異なるチャンネルごとに、前記受信手段による情報の受信の感度が予め定められた基準から外れるか否かを判断するための判断手段と、
前記判断手段の判断に合致するように、前記第２の記憶手段が記憶するチャンネルを変更するための変更手段とを含み、
前記特定手段は、前記複数のチャンネルのうち、前記第２の記憶手段が記憶するチャンネルとは異なるチャンネルのいずれかについて、前記グループ、および前記チャンネル間の前後の順序を特定するための手段を含む、テレビ。
【請求項２】
情報を受付けるための受付手段と、
前記受付手段が受付けた情報に基づき、複数のチャンネルのいずれかについて、チャンネルを対応付けるグループ、および同一のグループに対応するチャンネル間の前後の順序を特定するための特定手段と、
前記特定手段が特定したチャンネルを、前記チャンネル間の前後の順序を表す情報とともに、前記グループに対応付けて記憶するための第１の記憶手段と、
情報を受信するための受信手段と、
前記受付手段が受付けた、前記グループに含まれるチャンネルを選択する旨の情報が表す選択チャンネルで情報を受信するように、前記受信手段を制御するための第１の制御手段とを含む受信機において、
前記受信機は、
前記受信手段による情報の受信の感度が予め定められた基準から外れるチャンネルを記憶するための第２の記憶手段と、
前記第１の記憶手段が記憶するチャンネルのうち、前記第２の記憶手段が記憶するチャンネルとは異なるチャンネルごとに、情報を受信するように前記受信手段を制御するための第２の制御手段と、
前記受信手段が受信した情報に基づき、前記第２の記憶手段が記憶するチャンネルとは異なるチャンネルごとに、前記受信手段による情報の受信の感度が予め定められた基準から外れるか否かを判断するための判断手段と、
前記判断手段の判断に合致するように、前記第２の記憶手段が記憶するチャンネルを変更するための変更手段とを含み、
前記特定手段は、前記複数のチャンネルのうち、前記第２の記憶手段が記憶するチャンネルとは異なるチャンネルのいずれかについて、前記グループ、および前記チャンネル間の前後の順序を特定するための手段を含む、受信機。
【請求項３】
前記グループは、前記受信機の利用者に関するグループを含む、請求項２に記載の受信機。
【請求項４】
前記受信機の利用者に関するグループは、前記受信機の利用者個人を表すグループを含む、請求項３に記載の受信機。
【請求項５】
情報を受付けるための受付手段と、
前記受付手段が受付けた情報に基づき、複数のチャンネルのいずれかについて、チャンネルを対応付けるグループ、および同一のグループに対応するチャンネル間の前後の順序を特定するための特定手段と、
前記特定手段が特定したチャンネルを、前記チャンネル間の前後の順序を表す情報とともに、前記グループに対応付けて記憶するための第１の記憶手段と、
情報を受信するための受信手段と、
前記受付手段が受付けた、前記グループに含まれるチャンネルを選択する旨の情報が表す選択チャンネルで情報を受信するように、前記受信手段を制御するための第１の制御手段と、
前記受信手段が受信した情報が表わす、映像を表示するための表示手段と、
前記受信手段が受信した情報が表わす、音声を出力するスピーカとを含む受像機において、
前記受像機は、
前記受信手段による情報の受信の感度が予め定められた基準から外れるチャンネルを記憶するための第２の記憶手段と、
前記第１の記憶手段が記憶するチャンネルのうち、前記第２の記憶手段が記憶するチャンネルとは異なるチャンネルごとに、情報を受信するように前記受信手段を制御するための第２の制御手段と、
前記受信手段が受信した情報に基づき、前記第２の記憶手段が記憶するチャンネルとは異なるチャンネルごとに、前記受信手段による情報の受信の感度が予め定められた基準から外れるか否かを判断するための判断手段と、
前記判断手段の判断に合致するように、前記第２の記憶手段が記憶するチャンネルを変更するための変更手段とを含み、
前記特定手段は、前記複数のチャンネルのうち、前記第２の記憶手段が記憶するチャンネルとは異なるチャンネルのいずれかについて、前記グループ、および前記チャンネル間の前後の順序を特定するための手段を含む、受像機。
【発明の詳細な説明】
【技術分野】
【０００１】
本発明はテレビ、受信機、および受像機に関し、特に、多数のチャンネルを受信でき、かつ複数の利用者によって利用されるテレビ、受信機、および受像機に関する。
【背景技術】
【０００２】
デジタル放送などの普及にともない、サービスされるチャンネル数は飛躍的に増大している。このことは、利用者が所望のチャンネルを選局するために要する時間を増大化させるなどの問題を生じさせている。このような問題を解決するために、さまざまな技術が提案されている。
【０００３】
特許文献１は、電源投入時などの初期設定時に、アナログ放送、デジタル放送を区別することなく順にチャンネルサーチして、各チャンネルの放送の有無を判別し、かつ記憶することを特徴とする地上波放送受信装置を開示する。
【０００４】
特許文献１に開示された発明によると、アナログ放送及びデジタル放送のチャンネル情報を自動的にかつ短時間に取得できる。
【０００５】
しかしながら、特許文献１に開示された発明では、複数の利用者が１台の地上波放送受信装置を共有する場合に、発明の効果を抑制されることがあるという問題点がある。複数の利用者のうち、ある利用者はよく視聴するが別の利用者はまったく視聴しないチャンネルは、後者の利用者にとって放送がないチャンネルと何ら変わりない。それにも関わらず、特許文献１に開示された発明では、そのチャンネルの検出が実施される。これは、後者の利用者にとって、放送がないチャンネルの検出が中止されないことに等しい。放送がないチャンネルの検出が中止されないことに等しいので、後者の利用者にとっては、アナログ放送及びデジタル放送のチャンネル情報を自動的かつ短時間に取得できるとは言えなくなる。
【特許文献１】特開２００１−２３０６８９号公報
【発明の開示】
【発明が解決しようとする課題】
【０００６】
本発明は上述の問題点を解決するためになされたものであって、その目的は、利用者の共同での利用を円滑化でき、かつ短時間にチャンネルを設定できるテレビ、受信機、および受像機を提供することにある。
【課題を解決するための手段】
【０００７】
上記目的を達成するために、本発明のある局面にしたがうと、テレビは、情報を受付けるための受付手段と、受付手段が受付けた情報に基づき、複数のチャンネルのいずれかについて、チャンネルを対応付け、かつ利用者個人を表わすグループ、および同一のグループに対応するチャンネル間の前後の順序を特定するための特定手段と、特定手段が特定したチャンネルを、チャンネル間の前後の順序を表わす情報とともに、グループに対応付けて記憶するための第１の記憶手段と、情報を受信するための受信手段と、受付手段が受付けた、グループに含まれるチャンネルを選択する旨の情報が表わす選択チャンネルで情報を受信するように、受信手段を制御するための第１の制御手段と、受信手段が受信した情報が表わす、映像を表示するための表示手段と、受信手段が受信した情報が表わす、音声を出力するスピーカとを含むテレビである。テレビは、受信手段による情報の受信の感度が予め定められた基準から外れるチャンネルを記憶するための第２の記憶手段と、第１の記憶手段が記憶するチャンネルのうち、第２の記憶手段が記憶するチャンネルとは異なるチャンネルごとに、情報を受信するように受信手段を制御するための第２の制御手段と、受信手段が受信した情報に基づき、第２の記憶手段が記憶するチャンネルとは異なるチャンネルごとに、受信手段による情報の受信の感度が予め定められた基準から外れるか否かを判断するための判断手段と、判断手段の判断に合致するように、第２の記憶手段が記憶するチャンネルを変更するための変更手段とを含む。特定手段は、複数のチャンネルのうち、第２の記憶手段が記憶するチャンネルとは異なるチャンネルのいずれかについて、利用者個人を表わすグループ、およびチャンネル間の前後の順序を特定するための手段を含む。
【０００８】
すなわち、受付手段は、情報を受付ける。特定手段は、受付手段が受付けた情報に基づき、複数のチャンネルのうち、後述する第２の記憶手段が記憶するチャンネルとは異なるチャンネルのいずれかについて、チャンネルを対応付け、かつ利用者個人を表わすグループ、および同一のグループに対応するチャンネル間の前後の順序を特定する。第１の記憶手段は、特定手段が特定したチャンネルを、チャンネル間の前後の順序を表わす情報とともに、グループに対応付けて記憶する。受信手段は、情報を受信する。第１の制御手段は、受付手段が受付けた、グループに含まれるチャンネルを選択する旨の情報が表わす選択チャンネルで情報を受信するように、受信手段を制御する。表示手段は、受信手段が受信した情報が表わす、映像を表示する。スピーカは、受信手段が受信した情報が表わす、音声を出力する。第２の記憶手段は、受信手段による情報の受信の感度が予め定められた基準から外れるチャンネルを記憶する。第２の制御手段は、第１の記憶手段が記憶するチャンネルのうち、第２の記憶手段が記憶するチャンネルとは異なるチャンネルごとに、情報を受信するように受信手段を制御する。判断手段は、受信手段が受信した情報に基づき、第２の記憶手段が記憶するチャンネルとは異なるチャンネルごとに、受信手段による情報の受信の感度が予め定められた基準から外れるか否かを判断する。変更手段は、判断手段の判断に合致するように、第２の記憶手段が記憶するチャンネルを変更する。これにより、第２の記憶手段が記憶するチャンネルとは異なるチャンネルのいずれかについて、グループ、およびチャンネル間の前後の順序が特定される。第２の記憶手段が記憶するチャンネルは、受信手段による情報の受信の感度が予め定められた基準から外れるチャンネルである。グループ、およびチャンネル間の前後の順序が特定されるチャンネルは、受信手段による情報の受信の感度が予め定められた基準から外れるチャンネルとは異なるチャンネルとなる。受信手段による情報の受信の感度が予め定められた基準から外れるチャンネルとは異なるチャンネルについて利用者個人を表わすグループ、およびチャンネル間の前後の順序が特定されるので、受信機を共有する場合に、受付手段が情報を受付けてから、第１の記憶手段がチャンネルを記憶するまでに要する時間が短時間となる。その結果、特に利用者の共同での利用を円滑化でき、かつ短時間にチャンネルを設定できるテレビを提供することができる。
【０００９】
本発明の他の局面にしたがうと、受信機は、情報を受付けるための受付手段と、受付手段が受付けた情報に基づき、複数のチャンネルのいずれかについて、チャンネルを対応付けるグループ、および同一のグループに対応するチャンネル間の前後の順序を特定するための特定手段と、特定手段が特定したチャンネルを、チャンネル間の前後の順序を表わす情報とともに、グループに対応付けて記憶するための第１の記憶手段と、情報を受信するための受信手段と、受付手段が受付けた、グループに含まれるチャンネルを選択する旨の情報が表わす選択チャンネルで情報を受信するように、受信手段を制御するための第１の制御手段とを含む受信機である。受信機は、受信手段による情報の受信の感度が予め定められた基準から外れるチャンネルを記憶するための第２の記憶手段と、第１の記憶手段が記憶するチャンネルのうち、第２の記憶手段が記憶するチャンネルとは異なるチャンネルごとに、情報を受信するように受信手段を制御するための第２の制御手段と、受信手段が受信した情報に基づき、第２の記憶手段が記憶するチャンネルとは異なるチャンネルごとに、受信手段による情報の受信の感度が予め定められた基準から外れるか否かを判断するための判断手段と、判断手段の判断に合致するように、第２の記憶手段が記憶するチャンネルを変更するための変更手段とを含む。特定手段は、複数のチャンネルのうち、第２の記憶手段が記憶するチャンネルとは異なるチャンネルのいずれかについて、グループ、およびチャンネル間の前後の順序を特定するための手段を含む。
【００１０】
すなわち、受付手段は、情報を受付ける。特定手段は、受付手段が受付けた情報に基づき、複数のチャンネルのうち、後述する第２の記憶手段が記憶するチャンネルとは異なるチャンネルのいずれかについて、チャンネルを対応付けるグループ、および同一のグループに対応するチャンネル間の前後の順序を特定する。第１の記憶手段は、特定手段が特定したチャンネルを、チャンネル間の前後の順序を表わす情報とともに、グループに対応付けて記憶する。受信手段は、情報を受信する。第１の制御手段は、受付手段が受付けた、グループに含まれるチャンネルを選択する旨の情報が表わす選択チャンネルで情報を受信するように、受信手段を制御する。第２の記憶手段は、受信手段による情報の受信の感度が予め定められた基準から外れるチャンネルを記憶する。第２の制御手段は、第１の記憶手段が記憶するチャンネルのうち、第２の記憶手段が記憶するチャンネルとは異なるチャンネルごとに、情報を受信するように受信手段を制御する。判断手段は、受信手段が受信した情報に基づき、第２の記憶手段が記憶するチャンネルとは異なるチャンネルごとに、受信手段による情報の受信の感度が予め定められた基準から外れるか否かを判断する。変更手段は、判断手段の判断に合致するように、第２の記憶手段が記憶するチャンネルを変更する。これにより、第２の記憶手段が記憶するチャンネルとは異なるチャンネルのいずれかについて、グループ、およびチャンネル間の前後の順序が特定される。第２の記憶手段が記憶するチャンネルは、受信手段による情報の受信の感度が予め定められた基準から外れるチャンネルである。グループ、およびチャンネル間の前後の順序が特定されるチャンネルは、受信手段による情報の受信の感度が予め定められた基準から外れるチャンネルとは異なるチャンネルとなる。受信手段による情報の受信の感度が予め定められた基準から外れるチャンネルとは異なるチャンネルについてグループ、およびチャンネル間の前後の順序が特定されるので、受付手段が情報を受付けてから、第１の記憶手段がチャンネルを記憶するまでに要する時間が短時間となる。その結果、利用者の共同での利用を円滑化でき、かつ短時間にチャンネルを設定できる受信機を提供することができる。
【００１１】
また、上述のグループは、受信機の利用者に関するグループを含むことが望ましい。
【００１２】
すなわち、特定手段は、受付手段が受付けた情報に基づき、複数のチャンネルのうち、第２の記憶手段が記憶するチャンネルとは異なるチャンネルのいずれかについて、チャンネルを対応付ける、受信機の利用者に関するグループ、および同一のグループに対応するチャンネル間の前後の順序を特定する。これにより、受信機を共有する場合に、受付手段が情報を受付けてから、第１の記憶手段がチャンネルを記憶するまでに要する時間が短時間となる。その結果、利用者の共同での利用をより円滑化でき、かつ短時間にチャンネルを設定できる受信機を提供することができる。
【００１３】
また、上述の受信機の利用者に関するグループは、受信機の利用者個人を表わすグループを含むことが望ましい。
【００１４】
すなわち、特定手段は、受付手段が受付けた情報に基づき、複数のチャンネルのうち、第２の記憶手段が記憶するチャンネルとは異なるチャンネルのいずれかについて、チャンネルを対応付ける、受信機の利用者個人を表わすグループ、および同一のグループに対応するチャンネル間の前後の順序を特定する。これにより、受信機を共有する場合に、受付手段が情報を受付けてから、第１の記憶手段がチャンネルを記憶するまでに要する時間が短時間となる。その結果、利用者の共同での利用をさらに円滑化でき、かつ短時間にチャンネルを設定できる受信機を提供することができる。
【００１５】
本発明の他の局面にしたがうと、受像機は、情報を受付けるための受付手段と、受付手段が受付けた情報に基づき、複数のチャンネルのいずれかについて、チャンネルを対応付けるグループ、および同一のグループに対応するチャンネル間の前後の順序を特定するための特定手段と、特定手段が特定したチャンネルを、チャンネル間の前後の順序を表わす情報とともに、グループに対応付けて記憶するための第１の記憶手段と、情報を受信するための受信手段と、受付手段が受付けた、グループに含まれるチャンネルを選択する旨の情報が表わす選択チャンネルで情報を受信するように、受信手段を制御するための第１の制御手段と、受信手段が受信した情報が表わす、映像を表示するための表示手段と、受信手段が受信した情報が表わす、音声を出力するスピーカとを含む受像機である。受像機は、受信手段による情報の受信の感度が予め定められた基準から外れるチャンネルを記憶するための第２の記憶手段と、第１の記憶手段が記憶するチャンネルのうち、第２の記憶手段が記憶するチャンネルとは異なるチャンネルごとに、情報を受信するように受信手段を制御するための第２の制御手段と、受信手段が受信した情報に基づき、第２の記憶手段が記憶するチャンネルとは異なるチャンネルごとに、受信手段による情報の受信の感度が予め定められた基準から外れるか否かを判断するための判断手段と、判断手段の判断に合致するように、第２の記憶手段が記憶するチャンネルを変更するための変更手段とを含む。特定手段は、複数のチャンネルのうち、第２の記憶手段が記憶するチャンネルとは異なるチャンネルのいずれかについて、グループ、およびチャンネル間の前後の順序を特定するための手段を含む。
【００１６】
すなわち、受付手段は、情報を受付ける。特定手段は、受付手段が受付けた情報に基づき、複数のチャンネルのうち、後述する第２の記憶手段が記憶するチャンネルとは異なるチャンネルのいずれかについて、チャンネルを対応付けるグループ、および同一のグループに対応するチャンネル間の前後の順序を特定する。第１の記憶手段は、特定手段が特定したチャンネルを、チャンネル間の前後の順序を表わす情報とともに、グループに対応付けて記憶する。受信手段は、情報を受信する。第１の制御手段は、受付手段が受付けた、グループに含まれるチャンネルを選択する旨の情報が表わす選択チャンネルで情報を受信するように、受信手段を制御する。表示手段は、受信手段が受信した情報が表わす、映像を表示する。スピーカは、受信手段が受信した情報が表わす、音声を出力する。第２の記憶手段は、受信手段による情報の受信の感度が予め定められた基準から外れるチャンネルを記憶する。第２の制御手段は、第１の記憶手段が記憶するチャンネルのうち、第２の記憶手段が記憶するチャンネルとは異なるチャンネルごとに、情報を受信するように受信手段を制御する。判断手段は、受信手段が受信した情報に基づき、第２の記憶手段が記憶するチャンネルとは異なるチャンネルごとに、受信手段による情報の受信の感度が予め定められた基準から外れるか否かを判断する。変更手段は、判断手段の判断に合致するように、第２の記憶手段が記憶するチャンネルを変更する。これにより、第２の記憶手段が記憶するチャンネルとは異なるチャンネルのいずれかについて、グループ、およびチャンネル間の前後の順序が特定される。第２の記憶手段が記憶するチャンネルは、受信手段による情報の受信の感度が予め定められた基準から外れるチャンネルである。グループ、およびチャンネル間の前後の順序が特定されるチャンネルは、受信手段による情報の受信の感度が予め定められた基準から外れるチャンネルとは異なるチャンネルとなる。受信手段による情報の受信の感度が予め定められた基準から外れるチャンネルとは異なるチャンネルについてグループ、およびチャンネル間の前後の順序が特定されるので、受付手段が情報を受付けてから、第１の記憶手段がチャンネルを記憶するまでに要する時間が短時間となる。その結果、利用者の共同での利用を円滑化でき、かつ短時間にチャンネルを設定できる受像機を提供することができる。
【発明の効果】
【００１７】
本発明に係るテレビ、受信機、および受像機は、利用者の共同での利用を円滑化でき、かつ短時間にチャンネルを設定できる。
【発明を実施するための最良の形態】
【００１８】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１９】
図１を参照して、本発明を実現する放送受信装置の一態様である本体機器１００について説明する。図１は、本体機器１００の機能的構成を表わすブロック図である。
【００２０】
図１に示すように、本体機器１００は、制御部１１０と、赤外線受光部１２０と、計時回路１２６と、入力部１３０と、チューナ１６０と、合成部１６２と、増幅部１６４と、表示部１７０と、スピーカ１７２と、ＯＳＤ（On Screen Display）画像生成部１８０とを含む。制御部１１０は、メモリ１５０を含む。本体機器１００には、チューナ１６０を介してアンテナ１９０が取付けられている。本実施の形態において、本体機器１００は、テレビである。
【００２１】
赤外線受光部１２０、あるいは入力部１３０は、指示信号として情報を受付ける。赤外線受光部１２０、あるいは入力部１３０は、受付けた情報を制御部１１０に出力する。制御部１１０は、その入力信号に応じて、チューナ１６０の選局を行なったり、増幅部１６４による音声信号の出力を調整したりする。
【００２２】
制御部１１０は、たとえばマイコンである。制御部１１０は、赤外線受光部１２０が信号として受付けた（入力部１３０が受付けてもよいが、本実施の形態では赤外線受光部１２０が受付けたものを対象とすることとする）、予め定められた処理を実行する。この処理の例として、選択チャンネル（赤外線受光部１２０が受付けた、チャンネルを選択する旨の情報が表わすチャネルのこと。本実施の形態でいう「グループ」とは、本体機器１００の利用者個人を表し、かつ複数のチャンネルが対応付けられるグループのことである。）で情報を受信するように、チューナ１６０を制御する処理がある。具体的な処理の内容は、適宜後述する。
【００２３】
入力部１３０は、電源スイッチ、チャンネルボタン、音量調整ボタン、その他の操作ボタンを含む。本体機器１００の利用者は、この入力部１３０を介して、本体機器１００の電源のＯＮ／ＯＦＦの切り替え、受信チャンネルの切り替え、あるいは、音量の調整等のための指示を入力することができる。入力部１３０は、＋／−スイッチ、数字ボタン、トグルボタン等を含む。トグルボタンとは、利用者による押下の回数に応答して、信号を出力するボタンのことをいう。
【００２４】
メモリ１５０は、予め設定された本体機器１００が受信可能なチャンネルの番号、利用者の好みに応じて任意に設定されたチャンネルの番号、選局の履歴、あるいは予め定められた処理を実行することができるプログラム等を記憶する。選局の履歴は、チャンネルごとの選局回数、最後に選局された日時、選局された時間（特に、最大値）などを含む。
【００２５】
メモリ１５０は、たとえばフラッシュメモリのように不揮発性のメモリであるが、これに限られない。メモリ１５０は、本体機器１００の電源がＯＦＦである場合でも、データを保持し続けることができるものであればよい。メモリ１５０は、本設定用の情報を記憶する領域、バッファとして情報を記憶する領域、および本体機器１００の制御に必要な各種の情報を記憶する領域に分かれている。
【００２６】
また、メモリ１５０は、制御部１１０の外部に設けられていてもよい。また、複数のメモリがそれぞれ情報を記憶する態様であってもよい。
【００２７】
チューナ１６０は、制御部１１０からの信号に含まれるチャンネルの識別信号（後述するように、この識別信号が表わすチャンネルは、利用者が選択した選択チャンネルである）に基づいて、放送信号からそのチャンネルに対応する映像信号および音声信号を取得する。チューナ１６０は、後述するアンテナ１９０を用いることにより、視聴用の情報を受信する回路であるとも言える。
【００２８】
合成部１６２は、制御部１１０からの映像信号およびＯＳＤ画像信号１８０からのオンスクリーン表示信号を合成する。合成部１６２から出力される信号は、表示部１７０に入力される。
【００２９】
表示部１７０は、チューナ１６０により取得された映像信号に基づいて、映像を表示する。表示部１７０は、たとえばブラウン管、液晶ディスプレイ、あるいはプラズマディスプレイなどであるが、その他の表示装置であってもよい。
【００３０】
チューナ１６０により取得された音声信号は、増幅部１６４に入力される。増幅部１６４は、制御部１１０からの制御信号に基づいて、入力信号の出力を大きくし、あるいは、小さくして、スピーカ１７２に出力する。
【００３１】
スピーカ１７２は、その信号を音声に変換して出力する。スピーカ１７２は、モノラルスピーカおよびステレオスピーカのいずれであってもよい。
【００３２】
ＯＳＤ画像生成部１８０は、赤外線受光部１２０により受信される信号あるいは入力部１３０を介して入力される信号に基づいて、受信中のチャンネル番号、音量レベル、時刻その他の情報（オンスクリーン表示）を表わす画像を生成して（信号として）表示部１７０に出力する。これにより、表示部１７０は、表示中の映像にその画像を重ねて表示する。
【００３３】
図２を参照して、本実施の形態に係るリモコン端末１２００について説明する。図２は、リモコン端末１２００の外観を表わす図である。このリモコン端末１２００は、情報を表示するディスプレイ１２０２と、カーソルを移動させる旨の命令を入力する移動キー１２０４と、利用者が数値データを入力する数字ボタン１２０６と、チャンネルや音量を操作する旨の命令を入力する操作ボタン１２０８とを含む。このリモコン端末１２００は、本体機器１００に信号を送信する装置である。
【００３４】
移動キー１２０４は、上下左右にカーソルを移動するためのカーソルキー１２１４と、特定の対象の選択を確定する指示を入力する確定ボタン１２２４とを含む。
【００３５】
操作ボタン１２０８は、押下される回数に応答してテレビの音量を調整することができる音量ボタン１２１８と、同様に調整可能なチャンネルボタン１２２８とを含む。
【００３６】
図３を参照して、本実施の形態に係るリモコン端末１２００の構成についてさらに説明する。図３は、リモコン端末１２００が有する機能の構成を表わす図である。
【００３７】
このリモコン端末１２００は、制御部１２１０と、チャンネル選局部１２２０と、操作部１２４０と、メモリ１２５０と、赤外線発光部１２６０とを含む。
【００３８】
制御部１２１０は、リモコン端末１２００の各部を制御する。チャンネル選局部１２２０は、チャンネルボタン１２２８に相当する。操作部１２４０は、移動キー１２０４、数字ボタン１２０６、あるいは操作ボタンなどに対応する。メモリ１２５０は、制御部１２１０が、リモコン端末１２００の各部を制御するための情報を記憶する。
【００３９】
制御部１２１０は、チャンネル選局部１２２０、および操作部１２４０のいずれかから出力された信号に基づいて予め定められた処理信号を赤外線発光部１２６０に出力させる。このような制御部１２１０による動作には、たとえば本体機器１００の音量を調整する動作、チャンネルを選局する動作などが含まれる。
【００４０】
図４を参照して、本体機器１００で実行されるプログラムは、利用者毎のチャンネルの設定に関して、以下のような制御構造を有する。
【００４１】
ステップ３００（以下、ステップをＳと略す）にて、制御部１１０は、チューナ１６０およびアンテナ１９０を用いて、同期することを確認できるチャンネル（すなわち電波の周波数）を検出する。この処理は、後述するＳ３５０〜Ｓ３６０の各ステップに相当する。
【００４２】
Ｓ３０２にて、赤外線受光部１２０は、利用者毎でのチャンネルの設定の旨を受付ける。本実施の形態の場合、利用者からの入力は、いずれも赤外線受光部１２０が、リモコン信号を受信することにより受付ける。図５を参照して、本実施の形態に係る赤外線受光部１２０がリモコン信号を受信する際のデータのフォーマットを説明する。本実施の形態に係るリモコン信号を受信する際のデータのフォーマットは、スタートビットを表わすスタートビット用エリア２２０と、リモコン信号の送信を表わすオペレーションコード用エリア２２２と、リモコン信号の内容を表わすコマンドコード用エリア２２４と、リモコン信号の内容にデータが付属する場合のデータ用エリア２２６と、ストップビットを表わすストップビット用エリア２２８とを含む。本実施の形態において、このフォーマットにより送信される信号は、たとえば数字ボタン１２０６の「７」のキーが押されたといったことを表わす信号である。リモコン信号によりチャンネルの設定を受付けるため、信号の受信に先立って、制御部１１０は、ＯＳＤ画像生成部１８０を介して、表示部１７０に、チャンネルおよび使用できる時間帯の入力を受付けるための画像を表示させる。利用者毎でのチャンネルの設定の旨が受付けられると、制御部１１０は、まずメモリ１５０のバッファに、利用者毎のチャンネルの、最新の設定を表わす情報を記憶させる。Ｓ３０４にて、制御部１１０は、メモリ１５０に記憶された各種の設定を変更する。この処理は、後述するＳ４００〜Ｓ４１０の各ステップに相当する。
【００４３】
Ｓ３０６にて、制御部１１０は、変更された設定に対する、利用者の承認があったか否かを判断する。利用者の承認があったと判断した場合（Ｓ３０６にてＹＥＳ）、処理はＳ３０８へと移される。もしそうでないと（Ｓ３０６にてＮＯ）、処理はＳ３１０へと移される。
【００４４】
Ｓ３０８にて、制御部１１０は、変更された設定の内容を表わす情報を、メモリ１５０の本設定用の領域に記憶させる。本実施の形態において、制御部１１０は、Ｓ４０６にてバッファに記憶されたチャンネルの情報、チャンネル間の前後の順序を表わす情報、およびＳ４０４にて選択された利用者名を、後述する「設定の内容を表わす情報」の１つのグループとして記憶する。これにより、赤外線受光部１２０が受付けた情報が表し、かつ制御部１１０が特定したチャンネルを、チャンネル間の前後の順序を表わす情報とともに、上述した本設定用の領域が、本体機器１００の利用者個人を表わす１つのグループに対応付けて記憶することとなる。Ｓ３１０にて、制御部１１０は、変更された設定の内容を表わす情報を破棄する。
【００４５】
図６を参照して、本体機器１００で実行されるプログラムは、チャンネルなどの設定に関して、以下のような制御構造を有する。
【００４６】
Ｓ３５０にて、制御部１１０は、本体機器１００の起動が初回か否かを判断する。初回と判断した場合（Ｓ３５０にてＹＥＳ）、処理はＳ３５２へと移される。もしそうでないと（Ｓ３５０にてＮＯ）、処理はＳ３５８へと移される。Ｓ３５２にて、制御部１１０は、初回用の手順で同期を検出する。この処理は、後述するＳ４５０〜Ｓ４５４の各ステップに相当する。
【００４７】
Ｓ３５４にて、制御部１１０は、メモリ１５０のバッファから、同期できないチャンネルを抽出する。Ｓ３５６にて、制御部１１０は、メモリ１５０のバッファから抽出した、該当する（すなわち同期できない）チャンネルおよびそのチャンネルの番号を、メモリ１５０の各種の情報を記憶する領域に記憶させる。
【００４８】
Ｓ３５８にて、制御部１１０は、各チャンネルの同期を判断する準備として、メモリ１５０の各種の情報を記憶する領域を参照して、過去に同期できないと判断されたチャンネルを特定する。Ｓ３６０にて、制御部１１０は、再起動時用の手順で同期を検出する。この処理は、後述するＳ４６０〜Ｓ４６４の各ステップに相当する。
【００４９】
図７を参照して、本体機器１００で実行されるプログラムは、設定の変更に関して、以下のような制御構造を有する。
【００５０】
Ｓ４００にて、制御部１１０は、まずメモリ１５０のバッファに、利用者毎のチャンネルの、最新の設定を表わす情報を記憶させる。最新の設定を表わす情報は、メモリ１５０の本設定用の領域に記憶されている。最新の設定を表わす情報が記憶されると、制御部１１０は、赤外線受光部１２０が受信したリモコン信号の内容に基づき、設定の対象の選択を受付ける。本実施の形態において、このステップにおけるリモコン信号が表わす内容は、カーソルキー１２１４が押されたことを表わす内容、および確定ボタン１２２４が押されたことを表わす内容のいずれかである。カーソルキー１２１４が押された場合、制御部１１０は、カーソルキー１２１４の種類に応じて（すなわち、カーソルをどの方向に移動させる旨のキーが押されたかに応じて）、表示部１７０に表示させたカーソルを移動させる。あわせて制御部１１０は、メモリ１５０のバッファに記憶された、カーソルがある欄を表わす情報を変更する。確定ボタン１２２４が押された場合、制御部１１０は、次のステップの処理を開始する。これにより、制御部１１０は、設定しようとする対象が、確定ボタン１２２４が押された時点の、カーソルがある欄である旨の選択を受付ける。
【００５１】
Ｓ４０２にて、制御部１１０は、利用者が設定の対象としてチャンネル枠２３０に含まれる欄を選択したか否かを判断する。この判断は、メモリ１５０のバッファに記憶された、カーソルがどの欄にあるかを表わす情報に基づいて実施される。利用者がチャンネル枠２３０に含まれる欄を選択したと判断した場合（Ｓ４０２にてＹＥＳ）、処理はＳ４０４へと移される。もしそうでないと（Ｓ４０２にてＮＯ）、処理はＳ４０８へと移される。
【００５２】
Ｓ４０４にて、赤外線受光部１２０は、利用者の選択を受付ける。制御部１１０は、予めＯＳＤ画像生成部１８０を制御して、表示部１７０に利用者名を表示させておく。制御部１１０は、カーソルがある氏名欄２３６の利用者に対して設定されている具体的なチャンネル番号（本実施の形態において「チャンネル番号」とは、チャンネルごとに割り当てられた番号をいう）を、表示部１７０の利用者チャンネル表示欄２３４に表示させる。このとき利用者チャンネル表示欄２３４に表示されるチャンネルは、メモリ１５０のバッファに、利用者名に対応付けて記憶されている。確定ボタン１２２４が押されると、利用者の選択は確定する。
【００５３】
Ｓ４０６にて、赤外線受光部１２０は、表示するチャンネル番号の選択を受付ける（制御部１１０は非表示とするチャンネル番号の選択を受付けてもよい。しかし、本実施の形態における制御部１１０は、表示するチャンネルの選択を受付けることとする）。表示するチャンネルの選択を受付けるために、制御部１１０は、表示部１７０の利用者チャンネル表示欄２３４に表示させたチャンネル番号のうち、あるチャンネル番号（本実施の形態の場合、利用者チャンネル表示欄２３４に表示されるチャンネル番号のうち、最も左のマス目に表示されたチャンネル番号）を反転表示させる。赤外線受光部１２０が、カーソルキー１２１４のうち、カーソルを左右方向に移動させるキーが押された旨の信号を受信すると、制御部１１０は、別のチャンネル番号を反転表示させる。赤外線受光部１２０が、カーソルキー１２１４のうち、カーソルを下方向に移動させるキーが押された旨の信号を受信すると、制御部１１０は、その時反転表示されていたチャンネルが表示するチャンネルの対象から外されたとみなし、そのチャンネルを表わす情報をメモリ１５０のバッファから消去する。あわせて制御部１１０は、そのチャンネル番号を利用者チャンネル表示欄２３４からも消去させる。赤外線受光部１２０が、確定ボタン１２２４が押された旨の信号を受信すると、制御部１１０は、赤外線受光部１２０が、その時までに選択されたチャンネルを受付けたとみなす。チャンネルが受付けられると、制御部１１０は、確定ボタン１２２４が押された時点で選択されたチャンネルが、１つのグループ（本実施の形態の場合、このグループは本体機器１００の利用者個人を表わす）に対応付けられるとみなす。制御部１１０は、同一のグループに対応するチャンネル間の前後の順序が、利用者チャンネル表示欄２３４に表示された順序に一致するとみなす。これらのようにみなすことにより、制御部１１０は、赤外線受光部１２０が受付けた情報に基づき、複数のチャンネルのいずれかについて、チャンネルを対応付けるグループ、および同一のグループに対応するチャンネル間の前後の順序を特定する。ここでいう「複数のチャンネル」は、メモリ１５０のバッファの「同期が検出できなかった周波数を記憶させる領域」が記憶するチャンネルとは、異なるチャンネルである。なお、本実施の形態において、このときバッファに記憶されたチャンネルの情報、およびＳ４０４にて選択された利用者名は、Ｓ３０８にて、後述する「設定の内容を表わす情報」の１つのグループとして記憶される。この場合、先に記憶されたチャンネルの情報により小さなグループ番号が付加される。
【００５４】
Ｓ４０８にて、制御部１１０は、利用者毎に本体機器１００を使用する時間の設定を受付ける。カーソルキー１２１４のうち、カーソルを左右方向に移動させるキーが押された旨の信号を受信すると、制御部１１０は、それまで反転表示されていた欄の、隣の欄の表示を反転させる。あわせて、制御部１１０は、元の欄の表示を、通常表示に変更させる。カーソルキー１２１４のうち、カーソルを上下方向に移動させるキーが押された旨の信号を受信すると、制御部１１０は、別の利用者の、元の欄に対応する欄の表示を反転させる。あわせて、制御部１１０は、元の欄の表示を、通常表示に変更させる。赤外線受光部１２０が、数字ボタン１２０６が押された旨の信号を受信すると、制御部１１０は、その時反転表示された欄の内容を、受信した数字ボタン１２０６が表わす値に更新する。
【００５５】
Ｓ４１０にて、制御部１１０は、確定ボタン１２２４が押された旨の信号を受信すると、その時表示部１７０に表示された候補が選択されたとみなし、その情報をメモリ１５０のバッファに記憶させる。これにより、制御部１１０が、使用できる時間帯の設定を表わす情報を受付けたこととなる。
【００５６】
図８を参照して、本体機器１００で実行されるプログラムは、初回用の同期の確認に関して、以下のような制御構造を有する。
【００５７】
Ｓ４５０にて、制御部１１０は、次に記載するすべての帯域のチャンネルについて、同期を検出できたか否かを判断する。そのチャンネルとは、メモリ１５０の各種の情報を記憶する領域が記憶するチャンネルのうち、メモリ１５０のバッファの、同期が検出できなかった周波数を記憶させる領域が記憶するチャンネルとは異なるチャンネルである。この判断に先立ち、制御部１１０は、メモリ１５０のバッファの、一時的な情報を記憶する領域に、予め同期を検出できたか否か判断しようとするチャンネルの周波数を記憶させている。制御部１１０は、メモリ１５０の各種の情報を記憶する領域からバッファに情報を複写することにより、同期を検出できたか否か判断しようとするチャンネルの周波数を、バッファに記憶させる。同期を検出できたか否かの判断は、検出される電波の強弱に基づいて判断される。本実施の形態の場合、電波の強弱は、チューナ１６０が出力する電力の、電圧の大小によって判断される。具体的には、制御部１１０は、次の手順により、同期できるチャンネルか否かを判断する。第１の手順は、制御部１１０が、上述したチャンネル（メモリ１５０の各種の情報を記憶する領域が記憶するチャンネルのうち、メモリ１５０のバッファの、同期が検出できなかった周波数を記憶させる領域が記憶するチャンネルとは異なるチャンネル）ごとに、情報を受信するように、チューナ１６０を制御する手順である。第２の手順は、チャンネルが変化するたびに、チューナ１６０が出力する電力（チューナ１６０が受信した情報を表わす信号が有する電力）を検出する手順である。第３の手順は、検出した電力の値が予め定められた基準を上回るか否かを判断する手順である。これにより、制御部１１０は、チューナ１６０が受信した情報に基づき、次に記載するチャンネルごとに、チューナ１６０による情報の受信が可能か否かを判断することとなる。そのチャンネルとは、メモリ１５０の各種の情報を記憶する領域が記憶するチャンネルのうち、メモリ１５０のバッファの、同期が検出できなかった周波数を記憶させる領域が記憶するチャンネルとは異なるチャンネルである。同期を検出できたと判断した場合（Ｓ４５０にてＹＥＳ）、処理はＳ４５２へと移される。もしそうでないと（Ｓ４５０にてＮＯ）、処理はＳ４５４へと移される。
【００５８】
Ｓ４５２にて、制御部１１０は周波数を記憶しない。すなわち、制御部１１０は、メモリ１５０のバッファに記憶されたチャンネルのうち、Ｓ４５０にて情報を受信したチャンネルを消去する。Ｓ４５４にて、制御部１１０は、メモリ１５０のバッファのうち、同期が検出できなかった周波数を記憶させる領域に、Ｓ４５０にて情報を受信したチャンネルを複写する。これにより、メモリ１５０のバッファのうち、同期が検出できなかった周波数を記憶させる領域が、チューナ１６０による情報の受信の感度が予め定められた基準から外れる、チャンネルの値を記憶することとなる。制御部１１０は、自らの判断に合致するように、メモリ１５０のバッファのうち、同期が検出できなかった周波数を記憶させる領域が記憶するチャンネルを変更することとなる。
【００５９】
図９を参照して、本体機器１００で実行されるプログラムは、再起動時用の同期の確認に関して、以下のような制御構造を有する。
【００６０】
Ｓ４６０にて、制御部１１０は、メモリ１５０の各種の情報を記憶する領域に記憶されたチャンネルについて、同期を検出できたか否かを判断する。この判断に先立ち、制御部１１０は、メモリ１５０のバッファに、同期を検出できたか否か判断しようとするチャンネルの周波数、および過去に同期が検出できなかったチャンネルの周波数を予め記憶させている。同期を検出できたか否かを判断する方法は、メモリ１５０の各種の情報を記憶する領域のうち、過去に同期が検出できなかったチャンネルの周波数を記憶する領域に、判断の対象となるチャンネルの周波数が記憶されているか否かを検索する方法である。同期を検出できたと判断した場合（Ｓ４６０にてＹＥＳ）、処理はＳ４６２へと移される。もしそうでないと（Ｓ４６０にてＮＯ）、処理はＳ４６４へと移される。
【００６１】
Ｓ４６２にて、制御部１１０は、Ｓ４６０にて判断したチャンネルについて、同期を検出する。Ｓ４６４にて、制御部１１０は、Ｓ４６０にて判断したチャンネルについての、同期の検出をスキップする。
【００６２】
以上のような構造およびフローチャートに基づく、本体機器１００の動作について説明する。
【００６３】
［初回の起動の場合］
制御部１１０は、本体機器１００の起動が初回か否かを判断する（Ｓ３５０）。この場合、起動は初回であると判断するので（Ｓ３５０にてＹＥＳ）、制御部１１０は、次に記載するチャンネルのいずれかについて、同期を検出できたか否か（すなわち、チューナ１６０による情報の受信の感度が予め定められた基準から外れるか否か）を判断する（Ｓ４５０）。そのチャンネルとは、メモリ１５０の各種の情報を記憶する領域が記憶するチャンネルのうち、メモリ１５０のバッファの、同期が検出できなかった（すなわち、チューナ１６０による情報の受信の感度が予め定められた基準から外れる）周波数を記憶させる領域が記憶するチャンネルとは異なるチャンネルである。判断に先立ち、制御部１１０は、メモリ１５０のバッファに、同期を検出できたか否か判断しようとするチャンネルの周波数を予め記憶させている。同期を検出できたと判断した場合（Ｓ４５０にてＹＥＳ）、制御部１１０は、メモリ１５０のバッファに記憶された、Ｓ４５０にて記憶された周波数を消去する（Ｓ４５２）。もしそうでないと（Ｓ４５０にてＮＯ）、制御部１１０は、メモリ１５０のバッファのうち、同期が検出できなかった周波数を記憶させる領域に、Ｓ４５０にて記憶された周波数を複写する（Ｓ４５４）。制御部１１０は、すべての帯域のチャンネルについて、これらの判断を繰返す。すべての帯域のチャンネルについて、これらが判断されると、制御部１１０は、メモリ１５０のバッファから、同期できないチャンネルを抽出する（Ｓ３５４）。同期できないチャンネルが抽出されると、制御部１１０は、メモリ１５０のバッファから抽出した、同期できないチャンネルおよびそのチャンネルの番号を、メモリ１５０の各種の情報を記憶する領域に記憶させる（Ｓ３５６）。
【００６４】
番号が記憶されると、赤外線受光部１２０は、利用者毎でのチャンネルの設定の旨を受付ける（Ｓ３０２）。利用者毎でのチャンネルの設定の旨が受付けられると、制御部１１０は、まずメモリ１５０のバッファに、利用者毎のチャンネルの、最新の設定を表わす情報を記憶させる。最新の設定を表わす情報が記憶されると、制御部１１０は、赤外線受光部１２０が受信したリモコン信号の内容に基づき、設定しようとする対象の選択を受付ける（Ｓ４００）。このために、制御部１１０は、ＯＳＤ画像生成部１８０を介して、表示部１７０に、チャンネルおよび使用できる時間帯の入力を受付けるための画像を表示させる。図１０を参照して、このとき表示部１７０に表示される画像について説明する。この画像に含まれる欄は、チャンネル枠２３０と、時間枠２４０とに大別される。チャンネル枠２３０は、チャンネルに関する情報を表わす。時間枠２４０は、利用者毎の、利用できる時間帯を表わす。チャンネル枠２３０は、同期チャンネル欄２３２と、利用者チャンネル表示欄２３４と、氏名欄２３６と、表題欄２３８とを含む。同期チャンネル欄２３２は、Ｓ３００にて同期することを確認できたチャンネルのチャンネル番号を表わす。利用者チャンネル表示欄２３４は、利用者毎の、チャンネルの設定の内容を表わす。氏名欄２３６は、右隣の利用者チャンネル表示欄２３４に表示されたチャンネルを設定した利用者を表わす。表題欄２３８は、同期チャンネル欄２３２が、Ｓ３００にて同期することを確認できたチャンネルを表わす欄であることを示す。本実施の形態におけるカーソルは、各欄を囲む太枠である。カーソルキー１２１４が押されると、制御部１１０は、押されたカーソルキーが表わす方向へ、カーソルを移動させる。カーソルが氏名欄２３６にある場合に、利用者が、カーソルキー１２１４のうち、カーソルを下へ移動させるためのキーを押すと、氏名欄２３６および利用者チャンネル表示欄２３４がスクロールする。これにより、利用者Ａの氏名欄および利用者チャンネル表示欄に代えて、図１０に表れていない利用者Ｃの氏名欄および利用者チャンネル表示欄が表れる。図１１は、設定しようとする対象が時間帯の欄である場合の、表示部１７０の表示例を示す。確定ボタン１２２４が押されると、選択の受付けは確定する。
【００６５】
受付が確定されると、制御部１１０は、利用者が設定の対象としてチャンネル枠２３０に含まれる欄を選択したか否かを判断する（Ｓ４０２）。この場合、利用者はチャンネル枠２３０に含まれる欄を選択するので（Ｓ４０２にてＹＥＳ）、赤外線受光部１２０は、利用者の選択を受付ける（Ｓ４０４）。図１２に、本実施の形態におけるこのときの表示部１７０の内容を示す。利用者Ａに対するチャンネルの設定の内容（Ｓ３０２にて制御部１１０がメモリ１５０のバッファに記憶させた情報）が利用者チャンネル表示欄２３４に表示されている。その他の利用者（図１２の場合、利用者Ｂ）に対するチャンネルの設定の内容は、利用者チャンネル表示欄２３４に表示されない。利用者Ｂに対するチャンネルの設定の内容は、設定の対象として利用者Ｂが選択されている場合に表示される。
【００６６】
設定の内容が表示されると、赤外線受光部１２０は、表示するチャンネルの選択を受付ける（Ｓ４０６）。図１３に、このときの表示部１７０の内容を示す。チャンネル番号「１」が反転して表示されている。カーソルを右方向に移動させるキーが押されると、制御部１１０は、チャンネル番号「２」を反転して表示させる。チャンネル番号「３６」が反転して表示されているときに、カーソルを右方向に移動させるキーが押されると、制御部１１０は、チャンネル番号「５２」が表示されるまで、チャンネル番号の表示をスクロールさせる。すなわち、チャンネル番号の表示が順次左のマスに移動し、かつ最も右のマスにはチャンネル番号「３４」が表示される。カーソルが利用者チャンネル表示欄２３４にある時に、数字ボタン１２０６が押されると、制御部１１０は、それまでカーソルがあるマスに表示されていた番号に代えて、押された数字ボタン１２０６が表わす番号をカーソルがあるマスに表示させる。カーソルキー１２１４のうち、カーソルを下方向に移動させるキーが押されると、制御部１１０は、その時反転表示されていたチャンネル番号を利用者チャンネル表示欄２３４から消去させる。確定ボタン１２２４が押されると、制御部１１０は、確定ボタン１２２４が押された時点で表示部１７０が表示する情報を、設定すべき内容としてメモリ１５０のバッファに記憶させる。
【００６７】
チャンネル番号の選択が受付けられると、制御部１１０は、受付けられた設定に対する、利用者の承認があったか否かを判断する（Ｓ３０６）。この場合、利用者の承認があったと判断するので（Ｓ３０６にてＹＥＳ）、制御部１１０は、変更された設定の内容を表わす情報を、メモリ１５０の本設定用の領域に記憶させる（Ｓ３０８）。情報が記憶されると、処理は終了する。図１４に、このようにして記憶された、本実施の形態における利用者毎の、チャンネルの設定の内容を示す。
【００６８】
［初回の起動ではない場合］
Ｓ３５０にて起動は初回でないと判断されると（Ｓ３５０にてＮＯ）、制御部１１０は、各チャンネルの同期を判断する準備として、メモリ１５０の各種の情報を記憶する領域を参照して、過去に同期できないと判断されたチャンネルを特定する（Ｓ３５８）。チャンネルが特定されると、制御部１１０は、メモリ１５０の各種の情報を記憶する領域に記憶されたチャンネルについて、同期を検出できたか否かを判断する。この判断に先立ち、制御部１１０は、メモリ１５０のバッファに、同期を検出できたか否か判断しようとするチャンネルの周波数、および過去に同期が検出できなかったチャンネルの周波数を予め記憶させている（Ｓ４６０）。同期を検出できたと判断した場合（Ｓ４６０にてＹＥＳ）、制御部１１０は、Ｓ４６０にて判断したチャンネルについて、同期を検出する（Ｓ４６２）。もしそうでないと（Ｓ４６０にてＮＯ）、制御部１１０は、Ｓ４６０にて判断したチャンネルについての、同期の検出をスキップする（Ｓ４６４）。制御部１１０は、すべての帯域のチャンネルについて、これらの判断を繰返す。
【００６９】
以上のようにして、本実施の形態に係る本体機器１００は、多数あるチャンネルのいずれかを、利用者ごとに選択する。従来、このような場合、全チャンネルの同期が検出されていた。本体機器１００は、前回同期を検出できなかったチャンネルの同期を検出しない。その理由は、同期が検出できないということが、もともと見られない（電波が届いていない）ことを意味する点にある。前回同期を検出できなかったチャンネルは、メモリ１５０に記憶される。これにより、利用者がチャンネルを再設定する際（停電などでチャンネルの情報が消去される場合などがこれにあたる）、受信できないチャンネルの同期の検出が省略されるので、同期の検出に要する時間が短縮される。その上、本体機器１００は、短縮された時間を費やして同期を検出できるチャンネルの検出を充実化することができる。チャンネルの検出が充実化されると、周波数の変更やブレに対して柔軟に対応できる。その結果、チャンネルの設定に必要な時間を短縮できる受像機を提供することができる。
【００７０】
なお、表示部１７０およびスピーカ１７２は、本体機器１００から独立していてもよい。この場合、本体機器１００は、テレビではなく外付けのチューナとして動作することとなる。
【００７１】
また、チャンネルが対応付けられるグループは、本体機器１００の利用者に関するグループであってもよい。そのようなグループの例として、受信料を負担する者のグループや、スポーツ鑑賞を好む利用者のグループなどが考えられる。
【００７２】
これらとは別に、赤外線受光部１２０が信号として情報の入力を受付けることに代えて、入力部１３０が情報を受付けてもよい。
【００７３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７４】
【図１】本発明の実施の形態に係る本体機器の機能的構成を表わすブロック図である。
【図２】本発明の実施の形態に係るリモコン端末の外観を表わす図である。
【図３】本発明の実施の形態に係るリモコン端末が有する機能の構成を表わす図である。
【図４】本発明の実施の形態に係るチャンネルの設定処理の制御の手順を示すフローチャートである。
【図５】本発明の実施の形態に係る本体機器とリモコン端末との間の通信のフォーマットを表わす図である。
【図６】本発明の実施の形態に係るチャンネルなどの設定処理の制御の手順を示すフローチャートである。
【図７】本発明の実施の形態に係る設定を変更する処理の制御の手順を示すフローチャートである。
【図８】本発明の実施の形態に係る初回の起動時用の同期を検出する処理の制御の手順を示すフローチャートである。
【図９】本発明の実施の形態に係る再起動時用の同期を検出する処理の制御の手順を示すフローチャートである。
【図１０】本発明の実施の形態に係る表示部の、チャンネル枠のいずれかが設定の対象となっている場合の、内容を表わす図である。
【図１１】本発明の実施の形態に係る表示部の、時間枠のいずれかが設定の対象となっている場合の、内容を表わす図である。
【図１２】本発明の実施の形態に係る表示部の、チャンネルが表示された場合の、内容を表わす図である。
【図１３】本発明の実施の形態に係る表示部の、チャンネルの選択を受付ける場合の、内容を表わす図である。
【図１４】本発明の実施の形態に係る利用者毎の、チャンネルの設定の内容を示す図である。
【符号の説明】
【００７５】
１００  本体機器、１１０，１２１０  制御部、１２０  赤外線受光部、１２６  計時回路、１３０  入力部、１５０，１２５０  メモリ、１６０  チューナ、１６２  合成部、１６４  増幅部、１７０  表示部、１７２  スピーカ、１８０  ＯＳＤ画像生成部、１９０  アンテナ、２２０  スタートビット用エリア、２２２  オペレーションコード用エリア、２２４  コマンドコード用エリア、２２６  データ用エリア、２２８  ストップビット用エリア、２３０  チャンネル枠、２３２  同期チャンネル欄、２３４  利用者チャンネル表示欄、２３６  氏名欄、２３８  表題欄、２４０  時間枠、１２００  リモコン端末、１２０２  ディスプレイ、１２０４  移動キー、１２０６  数字ボタン、１２０８  操作ボタン、１２１４  カーソルキー、１２１８  音量ボタン、１２２０  チャンネル選局部、１２２４  確定ボタン、１２２８  チャンネルボタン、１２４０  操作部、１２６０  赤外線発光部。
【図１】
2005229412.tif 000003
【図２】
2005229412.tif 000004
【図３】
2005229412.tif 000005
【図４】
2005229412.tif 000006
【図５】
2005229412.tif 000007
【図６】
2005229412.tif 000008
【図７】
2005229412.tif 000009
【図８】
2005229412.tif 000010
【図９】
2005229412.tif 000011
【図１０】
2005229412.tif 000012
【図１１】
2005229412.tif 000013
【図１２】
2005229412.tif 000014
【図１３】
2005229412.tif 000015
【図１４】
2005229412.tif 000016